(57)【特許請求の範囲】
【請求項１】
コンクリート製の縁塊の口縁に嵌め込まれるコンクリート蓋に代えて、より重荷重に耐える鉄蓋を交換使用するためのものであって、円形の鉄蓋を受け支える円形の受支部を有し、その周囲に設けた角形の基板部にてコンクリート製の縁塊の口縁に嵌め込むようにした鉄製の枠本体を有し、受支部の円形とコンクリート製の縁塊の口縁の角形とが接近する箇所において、受支部の円形とコンクリート製の縁塊の口縁の角形とが点状ないし線状に接触し得るように角形の基板部の除去部を設定した交換鉄蓋用アダプター枠。
【請求項２】
受支部の外形は下部の方を上部よりも短寸とし、そのため角形の基板部を設けない除去部が台形状に現れている請求項１記載の交換鉄蓋用アダプター枠。
【発明の詳細な説明】
【０００１】
【発明の属する技術分野】
本発明は、コンクリート製の縁塊の口縁に嵌め込まれるコンクリート蓋に代えて、より重荷重に耐える鉄蓋を交換使用するための交換鉄蓋用アダプター枠に関するものである。
【０００２】
【従来の技術】
マンホールやハンドホールなどの開口設備には、コンクリート製の縁塊と蓋とから成るものがあり、比較的低荷重の用途、箇所に使用されている。例えば、住宅団地の非車道部分などにはこのタイプのマンホール設備が設置されることがある。しかし事後、コンクリート製の縁塊に鋳鉄製の蓋（以下鉄蓋という。）への仕様変えを要求される場合もあり、その場合にコンクリート製の縁塊のままでは割れるおそれがあり、鋳鉄製の蓋受枠が必要となるため、鋳鉄製蓋受枠を一体成形したコンクリート製の縁塊が使用される。このためメーカーはコンクリート製の縁塊のほかに鋳鉄製蓋受枠を一体成形したコンクリート製の縁塊を用意しなければならない。鋳鉄製蓋受枠を一体成形したコンクリート製の縁塊は納期が遅くなり、コスト高となる一方、コンクリート製縁塊の在庫が多くなるという問題を抱えることになる。
【０００３】
コンクリート製の縁塊を撤去して、新たに鉄蓋用の受枠を設置し直すことも可能であるが、この場合には大掛かりな工事になり、工期や費用も比較にならないほど多くを必要とする。また、工事自体も難しく、重荷重対策への仕様変更としては過剰な対策となる。
【０００４】
【発明が解決しようとする課題】
本発明は前記の点に着目してなされたものであり、その課題は、既存のコンクリート縁塊にそのまま鉄蓋を設置できるようにすることである。
【０００５】
【課題を解決するための手段】
前記の課題を解決するため本発明のものは、円形の鉄蓋を受け支える円形の受支部を有し、その周囲に設けた角形の基板部にてコンクリート製の縁塊の口縁に嵌め込むようにした鉄製の枠本体を有し、受支部の円形とコンクリート製の縁塊の口縁の角形とが接近する箇所において、受支部の円形とコンクリート製の縁塊の口縁の角形とが点状ないし線状に接触し得るように角形の基板部を設けない除去部設定したものである。
【０００６】
【発明の実施の形態】
本発明に係る交換鉄蓋用アダプター枠は、コンクリート製の縁塊の口縁に嵌め込まれるコンクリート蓋に代えて、より重荷重に耐える鉄蓋を使用するためのものである。
【０００７】
コンクリート製の縁塊は、例えば特殊改良桝（東京都ＣＤ型）と呼ばれるような角型の側塊の最上部に配置されるもので、額縁型の蓋受け枠の一種と考えて良い。図１に示されているように、コンクリート製の縁塊は口縁の段状部分に嵌め込まれるコンクリート製の蓋と組み合わされるべきものである。コンクリート製の蓋に代えて鋳鉄製の蓋を使用することによって、マンホールないしハンドホール等はより重荷重に耐えるものとなる。
【０００８】
本発明に係る交換鉄蓋用アダプター枠は、そのコンクリート製の縁塊と鉄蓋との間に介在して、鉄蓋が無理なく収まるようにするものであり、そのために、円形の鉄蓋を受け支える円形の受支部を有する。受支部には立ち上がった円形の枠状部分を有することが望まれる。受支部は、従って鉄蓋が収まる口径の口縁を有し、その口径はコンクリート製の縁塊の内のりと同等であることが望ましい。
【０００９】
受支部の周囲には角形の基板部が設けられ、基板部がコンクリート製縁塊の口縁にアダプター枠を嵌め込む手段となる。従って基板部の平面外形は、コンクリート蓋の平面外形と同じである、ということができる。円形の受支部と角形の基板部とは一体の構造を有する枠本体を構成する。また受支部と基板部とから成る枠本体は鉄蓋と同じく鋳造によって形成することが望まれる。材質はいわゆる鋳鉄であるが、特にダクタイル鋳鉄でなくても良く、ねずみ鋳鉄と呼ばれる普通鋳鉄を使用可能である。
【００１０】
鉄蓋が枠本体の円形口縁に十分収まる大きさであれば良いが、呼び名６００の縁塊であれば鉄蓋もφ６００のサイズのものを使用できることが理想である。しかしそうした場合、受支部の円形とコンクリート製縁塊の角形の口縁とが接近する箇所では、基板部を設ける余地がないのは勿論、受支部を収めるのも容易でない寸法関係となる。そこで角形の基板部を設けない除去部を設定することによって、受支部の円形とコンクリート製縁塊の角形の口縁とが点状ないし線状に接触し得るように構成する。点状ないし線状、とは円錐形や円形外面と角形のものの平面内面との接触がそのようになると考えられるのでそう表現したものであるが必ずその接触が生じなければならない訳ではない。
【００１１】
【実施例】
以下図示の実施例を参照して本発明をより詳細に説明する。図１において、コンクリート製の縁塊１０は開口部周りに四角形の口縁１１を有しており、四角形のコンクリート製の蓋１２がその口縁１１に収まるようになっている。
【００１２】
そのコンクリート蓋１２を鉄蓋２０に代える、本発明に係るアダプター枠の枠本体２１は、円形の受支部２２とその周囲に設けた基板部２３とから成る。円形の受支部２２は鉄蓋２０の周縁２４を受け支える内外２重の立ち上がり部２５、２６を有し、受支部２２の円形と縁塊１０の口縁１１の角形とが接近する箇所２７において、下部の方が上部よりも短寸とされている（図２（ａ））。
【００１３】
この受支部２２の円形と縁塊１０の口縁１１の角形とが接近する箇所においては、角形の基板部２３を設けない除去部２７を設定する。この基板部２３を設けない箇所（２７に同じ）では、その部分が逆円錐面となっているため台形状に現れている（図１参照）。これ以外の受支部２１の部分は四角形の隅から遠く離れており、外形も下部の方は上部よりも長寸となっている（図３（ｂ）参照）。
【００１４】
このような枠本体２１はねずみ鋳鉄（ＦＣ）により鋳造し、所要の仕上げ処理をして使用に供することができる。使用の際には、コンクリート製の縁塊１０からコンクリート蓋１２を取り外し、その代わりとして、露出した縁塊１０の口縁１１にアダプター枠を載置する。アダプター枠は受支部２２の円形と縁塊１０の口縁の角形とが接近する除去部２７では円形受支部２２の下面２８が、それ以外の箇所では角形基板部２３の縁部下面２９が縁塊１０の口縁１１に載る（図４、図５参照）。
【００１５】
コンクリート製の縁塊１０にアダプター枠本体２１が載置されるとき、鋳鉄製枠本体２１の受支部２２の円形部分とコンクリート製の縁塊の口縁１１の内側平面部分とは接近し、点状に、或いは線状に接触し得る状態に収まることとなる。従ってこの枠本体２１に鉄蓋２０を嵌め込むと、鉄蓋２０は立ち上がり部２５、２６に受け止められ、枠開口３０を塞ぐこととなる。
【００１６】
最後に、縁塊１０と枠本体２１との間に生じている空所にモルタル３１を充填し、調整して仕上げる。これにより、マンホール等の鉄蓋２０とモルタル３１の充填面とが施工面３２である路面などと滑らかにつながった面となる。
【００１７】
【発明の効果】
本発明は以上の如く構成されかつ作用するものであるから、既存のコンクリート製の縁塊からコンクリート蓋を外してその代わりにアダプター枠を載せるだけで、鉄蓋を設置することができるようになり、従って従来のように納期が遅くなったり、コスト高となったりすることもなく、またコンクリート製縁塊の在庫が多くなることもなく、新設時には勿論のこと、途中からの仕様変更にも速やかに応じられるという効果を奏する。
【図面の簡単な説明】
【図１】本発明に係る交換鉄蓋用アダプター枠の実施例を示す分解斜視図。
【図２】同じくアダプター枠単品の平面図。
【図３】（ａ）図２のＡ−Ａ線断面図。
（ｂ）図２のＢ−Ｂ線断面図。
【図４】鉄蓋を施蓋した状態の平面図。
【図５】図４中央部の横断面図。
【図１】
0003628957.tif 000002
【図２】
0003628957.tif 000003
【図３】
0003628957.tif 000004
【図４】
0003628957.tif 000005
【図５】
0003628957.tif 000006